(57)【要約】【課題】輻射パネルユニットの設置自由度を高め、その使い勝手を向上させる。【解決手段】輻射パネルユニット（40）に、輻射パネル（45）と、第１ドレンパン（50）と、第２ドレンパン（60）とを設ける。輻射パネル（45）は、正面から見て矩形状に形成される。第１ドレンパン（50）は、輻射パネル（45）の第１の辺（46）に沿って配置される。第２ドレンパン（60）は、輻射パネル（45）の第２の辺（47）に沿って配置される。【選択図】図２
2019163918.tif 000002
【特許請求の範囲】
【請求項１】
正面から見て矩形状に形成された空気調和用の輻射パネル（45）と、
上記輻射パネル（45）の第１の辺（46）に沿って配置された第１ドレンパン（50）と、
上記輻射パネル（45）の上記第１の辺（46）と交わる第２の辺（47）に沿って配置された第２ドレンパン（60）とを備えている
ことを特徴とする輻射パネルユニット。
【請求項２】
請求項１において、
上記第１ドレンパン（50）及び上記第２ドレンパン（60）は、上記輻射パネル（45）から落下した凝縮水を受ける底壁部（51,61）を備え、
上記第１ドレンパン（50）及び上記第２ドレンパン（60）の上記底壁部（51,61）は、該底壁部（51,61）に形成された排水口（54,64）へ向かって傾斜している
ことを特徴とする輻射パネルユニット。
【請求項３】
正面から見て矩形状に形成された空気調和用の輻射パネル（45）と、
上記輻射パネル（45）の第１の辺（46）に沿う状態と、上記輻射パネル（45）の上記第１の辺（46）と交わる第２の辺（47）に沿う状態との両方で上記輻射パネル（45）に取り付け可能に構成されたドレンパン（70）とを備えている
ことを特徴とする輻射パネルユニット。
【請求項４】
請求項３において、
上記ドレンパン（70）は、上記輻射パネル（45）から落下した凝縮水を受ける底壁部（71）を備え、
上記ドレンパン（70）の上記底壁部（71）は、該底壁部（71）に形成された排水口（74）へ向かって傾斜している
ことを特徴とする輻射パネルユニット。
【請求項５】
請求項３又は４において、
上記輻射パネル（45）は、上記第１の辺（46）が上記第２の辺（47）よりも短く、
上記ドレンパン（70）は、上記輻射パネル（45）の上記第１の辺（46）に対応した長さに形成される一方、
上記輻射パネル（45）の上記第２の辺（47）に沿って配置され、上記第２の辺（47）に沿う状態で上記輻射パネル（45）に取り付けられた上記ドレンパン（70）へ凝縮水を導く導水部材（80）を更に備えている
ことを特徴とする輻射パネルユニット。
【請求項６】
請求項１乃至５のいずれか一つの輻射パネルユニット（40）と、
上記輻射パネルユニット（40）へ冷却用の熱媒体を供給する動作を少なくとも行う熱源ユニット（20）とを備えている
ことを特徴とする空気調和装置。
【発明の詳細な説明】
【技術分野】
【０００１】
本開示は、輻射パネルユニットと、それを備えた空気調和装置に関するものである。
【背景技術】
【０００２】
特許文献１には、空気調和用の輻射パネルユニットが開示されている。この文献の輻射パネルユニットは、縦長の長方形状に形成され、起立した姿勢で設置される。輻射パネルユニットを用いて室内の冷房を行う場合は、輻射パネルユニットの表面温度が比較的低くなり、輻射パネルユニットの表面において結露が生じる。特許文献１の輻射パネルユニットでは、その下端側の短辺に沿ってドレンパンが設けられる。輻射パネルユニットの表面で生じた凝縮水は、輻射パネルユニットの表面を伝って流れ落ち、ドレンパンに集められて排出される。
【先行技術文献】
【特許文献】
【０００３】
【特許文献１】特開２０１６−０６５６４６号公報
【発明の概要】
【発明が解決しようとする課題】
【０００４】
特許文献１に開示された輻射パネルユニットを設置する場合は、必ず、ドレンパンが下方に位置する姿勢で輻射パネルユニットを設置しなければならない。このため、輻射パネルユニットの設置自由度が低く、その使い勝手が悪いという問題があった。
【０００５】
本開示の目的は、輻射パネルユニットの設置自由度を高め、その使い勝手を向上させることにある。
【課題を解決するための手段】
【０００６】
本開示の第１の態様は、輻射パネルユニット（40）を対象とし、正面から見て矩形状に形成された空気調和用の輻射パネル（45）と、上記輻射パネル（45）の第１の辺（46）に沿って配置された第１ドレンパン（50）と、上記輻射パネル（45）の上記第１の辺（46）と交わる第２の辺（47）に沿って配置された第２ドレンパン（60）とを備えるものである。
【０００７】
第１の態様において、輻射パネルユニット（40）の輻射パネル（45）は、正面から見て矩形状に形成される。なお、この明細書において、「矩形」という文言は、「全ての内角が等しい四辺形（即ち、全ての内角が９０°の四辺形）」を意味する。従って、この明細書の「矩形」には、隣り合う辺の長さが異なる“いわゆる長方形”と、隣り合う辺の長さが等しい“いわゆる正方形”の両方が包含される。
【０００８】
第１の態様では、輻射パネルユニット（40）に二つのドレンパン（50,60）が設けられる。輻射パネル（45）の下端に第１の辺（46）が位置する場合は、第１の辺（46）に沿って配置された第１ドレンパン（50）が、輻射パネル（45）の表面で生じた凝縮水を受ける。一方、輻射パネル（45）の下端に第２の辺（47）が位置する場合は、第２の辺（47）に沿って配置された第２ドレンパン（60）が、輻射パネル（45）の表面で生じた凝縮水を受ける。
【０００９】
第１の態様の輻射パネルユニット（40）は、輻射パネル（45）の下端に第１の辺（46）が位置する状態と、輻射パネル（45）の下端に第２の辺（47）が位置する状態のどちらでも、設置することができる。従って、この態様によれば、輻射パネルユニット（40）を設置する際の輻射パネル（45）の姿勢の自由度が高くなり、輻射パネルユニット（40）の使い勝手を向上させることが可能となる。
【００１０】
本開示の第２の態様は、上記第１の態様において、上記第１ドレンパン（50）及び上記第２ドレンパン（60）は、上記輻射パネル（45）から落下した凝縮水を受ける底壁部（51,61）を備え、上記第１ドレンパン（50）及び上記第２ドレンパン（60）の上記底壁部（51,61）は、該底壁部（51,61）に形成された排水口（54,64）へ向かって傾斜しているものである。
【００１１】
第２の態様では、ドレンパン（50,60）の底壁部（51,61）が、排水口（54,64）へ向かって傾斜する。従って、ドレンパン（50,60）へ流入した凝縮水を排水口（54,64）へ導いて排水口（54,64）から排出することができる。
【００１２】
本開示の第３の態様は、輻射パネルユニット（40）を対象とし、正面から見て矩形状に形成された空気調和用の輻射パネル（45）と、上記輻射パネル（45）の第１の辺（46）に沿う状態と、上記輻射パネル（45）の上記第１の辺（46）と交わる第２の辺（47）に沿う状態との両方で上記輻射パネル（45）に取り付け可能に構成されたドレンパン（70）とを備えるものである。
【００１３】
第３の態様では、輻射パネルユニット（40）に一つのドレンパン（70）が設けられる。輻射パネル（45）の下端に第１の辺（46）が位置する場合、輻射パネル（45）の第１の辺（46）に沿ってドレンパン（70）を配置すれば、このドレンパン（70）が輻射パネル（45）の表面で生じた凝縮水を受ける。輻射パネル（45）の下端に第２の辺（47）が位置する場合、輻射パネル（45）の第２の辺（47）に沿ってドレンパン（70）を配置すれば、このドレンパン（70）が輻射パネル（45）の表面で生じた凝縮水を受ける。
【００１４】
第３の態様の輻射パネルユニット（40）は、輻射パネル（45）の下端に第１の辺（46）が位置する状態と、輻射パネル（45）の下端に第２の辺（47）が位置する状態のどちらでも、設置することができる。従って、この態様によれば、輻射パネルユニット（40）を設置する際の輻射パネル（45）の姿勢の自由度が高くなり、輻射パネルユニット（40）の使い勝手を向上させることが可能となる。
【００１５】
本開示の第４の態様は、上記第３の態様において、上記ドレンパン（70）は、上記輻射パネル（45）から落下した凝縮水を受ける底壁部（71）を備え、上記ドレンパン（70）の上記底壁部（71）は、該底壁部（71）に形成された排水口（74）へ向かって傾斜しているものである。
【００１６】
第４の態様では、ドレンパン（70）の底壁部（71）が、排水口（74）へ向かって傾斜する。従って、ドレンパン（70）へ流入した凝縮水を排水口（74）へ導いて排水口（74）から排出することができる。
【００１７】
本開示の第５の態様は、上記第３又は第４の態様において、上記輻射パネル（45）は、上記第１の辺（46）が上記第２の辺（47）よりも短く、上記ドレンパン（70）は、上記輻射パネル（45）の上記第１の辺（46）に対応した長さに形成される一方、上記輻射パネル（45）の上記第２の辺（47）に沿って配置され、上記第２の辺（47）に沿う状態で上記輻射パネル（45）に取り付けられた上記ドレンパン（70）へ凝縮水を導く導水部材（80）を更に備えるものである。
【００１８】
第５の態様において、ドレンパン（70）は、輻射パネル（45）の第１の辺（46）に対応した長さに形成される。従って、ドレンパン（70）の長さは、輻射パネル（45）の第２の辺（47）の長さよりも短い。輻射パネル（45）の下端に第１の辺（46）が位置する場合、輻射パネル（45）の表面で生じた凝縮水は、輻射パネル（45）の第１の辺（46）に沿って配置されたドレンパン（70）によって受けられる。一方、輻射パネル（45）の下端に第２の辺（47）が位置する場合、輻射パネル（45）の表面で生じた凝縮水は、輻射パネル（45）の第２の辺（47）に沿って配置されたドレンパン（70）と導水部材（80）とによって受けられる。導水部材（80）に受けられた凝縮水は、導水部材（80）によってドレンパン（70）へ導かれる。
【００１９】
このように、第５の態様によれば、第１の辺（46）が第２の辺（47）よりも短い輻射パネル（45）を、その下端に第１の辺（46）が位置する姿勢と、その下端に第２の辺（47）が位置する姿勢のどちらで設置した場合であっても、一つのドレンパン（70）に、輻射パネル（45）の表面で生じた凝縮水の全てを集めることが可能となる。
【００２０】
本開示の第６の態様は、空気調和装置（10）を対象とし、上記第１〜第５のいずれか一つの態様の輻射パネルユニット（40）と、上記輻射パネルユニット（40）へ冷却用の熱媒体を供給する動作を少なくとも行う熱源ユニット（20）とを備えるものである。
【００２１】
第６の態様では、空気調和装置（10）に輻射パネルユニット（40）と熱源ユニット（20）とが設けられる。熱源ユニット（20）が輻射パネルユニット（40）へ冷却用の熱媒体を供給すると、輻射パネル（45）の表面が比較的低温となる。表面温度が比較的低い輻射パネル（45）は、室内の在室者等から輻射によって吸熱する。
【図面の簡単な説明】
【００２２】
【図１】図１は、実施形態１の空気調和装置の概略構成を示す配管系統図である。
【図２】図２は、第１状態で設置された実施形態１の輻射パネルユニットの輻射パネル及びドレンパンを抜き出して示す概略斜視図である。
【図３】図３は、第１状態で設置された実施形態１の輻射パネルユニットの輻射パネル及びドレンパンを抜き出して示す一部断面図である。
【図４】図４は、第２状態で設置された実施形態１の輻射パネルユニットの輻射パネル及びドレンパンを抜き出して示す概略斜視図である。
【図５】図５は、第１状態で設置された実施形態２の輻射パネルユニットの輻射パネル及びドレンパンを抜き出して示す概略斜視図である。
【図６】図６は、第１状態で設置された実施形態２の輻射パネルユニットの輻射パネル及びドレンパンを抜き出して示す一部断面図である。
【図７】図７は、第２状態で設置された実施形態２の輻射パネルユニットの輻射パネル及びドレンパンを抜き出して示す一部断面図である。
【発明を実施するための形態】
【００２３】
《実施形態１》
実施形態１について説明する。本実施形態は、輻射パネルユニット（40）を備えた空気調和装置（10）である。
【００２４】
−空気調和装置の全体構成−
空気調和装置（10）は、室内の空気調和を行う。図１に示すように、空気調和装置（10）は、室外ユニット（20）と、室内ユニット（30）と、輻射パネルユニット（40）とを備える。なお、図１に示した室外ユニット（20）、室内ユニット（30）、及び輻射パネルユニット（40）の台数は、いずれも単なる一例である。
【００２５】
室外ユニット（20）は、室外に設置される。室外ユニット（20）は、熱源ユニットを構成する。室外ユニット（20）には、室外回路（12）と室外ファン（25）とが設けられる。
【００２６】
室内ユニット（30）は、室内の天井付近に設けられる。室内ユニット（30）は、室内ファン（33）によって搬送される空気により、冷房又は暖房を行う対流型の室内機を構成する。室内ユニット（30）には、室内回路（13）と室内ファン（33）とが設けられる。
【００２７】
輻射パネルユニットは、後述する輻射パネル（45）の前面と背面が概ね鉛直面となる姿勢で室内に設置される。輻射パネルユニット（40）は、輻射熱の移動により、冷房又は暖房を行うように構成される。輻射パネルユニット（40）には、輻射回路（15）が設けられる。
【００２８】
−冷媒回路の構成−
本実施形態の空気調和装置（10）では、室外ユニット（20）の室外回路（12）と、室内ユニット（30）の室内回路（13）と、輻射パネルユニット（40）の輻射回路（15）とを連絡配管（16,17）で接続することによって、冷媒回路（11）が形成される。この冷媒回路（11）では、室内回路（13）及び輻射回路（15）が、ガス連絡配管（16）及び液連絡配管（17）を介して、室外回路（12）に接続される。冷媒回路（11）は、充填された冷媒を循環させることによって蒸気圧縮冷凍サイクルを行う。
【００２９】
〈室外回路〉
室外回路（12）には、圧縮機（21）、室外熱交換器（22）、室外膨張弁（23）、及び四方切換弁（24）が設けられる。圧縮機（21）は、可変容量式に構成される。室外熱交換器（22）の近傍には、室外空気を搬送する室外ファン（25）が設けられる。室外熱交換器（22）では、その内部を流れる冷媒と、室外ファン（25）が搬送する室外空気とが熱交換する。室外膨張弁（23）は、開度が可変な流量調節弁であり、例えば電子膨張弁で構成される。
【００３０】
四方切換弁（24）は、第１状態（図１の実線で示す状態）と第２状態（図１の破線で示す状態）とに切り換え可能に構成される。四方切換弁（24）は、冷房運転において第１状態に切り換わる。第１状態の四方切換弁（24）は、圧縮機（21）の吐出側と室外熱交換器（22）のガス端部とを連通させると同時に、圧縮機（21）の吸入側とガス連絡配管（16）とを連通させる。四方切換弁（24）は、暖房運転において第２状態に切り換わる。第２状態の四方切換弁（24）は、圧縮機（21）の吐出側とガス連絡配管（16）とを連通させると同時に、圧縮機（21）の吸入側と室外熱交換器（22）のガス端部とを連通させる。
【００３１】
〈室内回路〉
室内回路（13）では、室内熱交換器（31）と室内膨張弁（32）とが直列に配置される。室内回路（13）は、室内熱交換器（31）側のガス端部がガス連絡配管（16）に接続され、室内膨張弁（32）側の液端部が液連絡配管（17）に接続される。
【００３２】
室内膨張弁（32）は、開度が可変な流量調節弁であり、例えば電子膨張弁で構成される。室内熱交換器（31）の近傍には、室内空気を搬送する室内ファン（33）が設けられる。室内熱交換器（31）では、その内部を流れる冷媒と、室内ファン（33）が搬送する室内空気とが熱交換する。
【００３３】
〈輻射回路〉
輻射回路（15）では、輻射パネル（45）と輻射膨張弁（41）とが直列に配置される。輻射回路（15）は、輻射パネル（45）側のガス端部がガス連絡配管（16）に接続され、輻射膨張弁（41）側の液端部が液連絡配管（17）に接続される。
【００３４】
輻射膨張弁（41）は、開度が可変な流量調節弁であり、例えば電子膨張弁で構成される輻射パネル（45）は、内部を流れる冷媒によって冷却され又は加熱される輻射熱交換器である。この輻射パネル（45）は、輻射によって在室者から吸熱し、又は在室者へ放熱する。従って、輻射パネル（45）の近傍には、空気を搬送するファンは設けられない。
【００３５】
−空気調和装置の運転動作−
空気調和装置（10）は、冷房運転と暖房運転とを切り換えて行う。
【００３６】
〈冷房運転〉
冷房運転では、四方切換弁（24）が第１状態（図１に実線で示す状態）となり、室外膨張弁（23）が全開状態に保持され、室内膨張弁（32）及び輻射膨張弁（41）の開度が調節される。そして、冷媒回路（11）では、蒸気圧縮冷凍サイクルが行われ、室外熱交換器（22）が凝縮器として機能し、室内熱交換器（31）及び輻射パネル（45）が蒸発器として機能する。
【００３７】
室内ユニット（30）は、室内熱交換器（31）において冷却された空気を室内へ吹き出す。輻射パネルユニット（40）では、輻射パネル（45）の表面温度が低くなり、輻射によって輻射パネル（45）が在室者や家具などから吸熱する。
【００３８】
〈暖房運転〉
暖房運転では、四方切換弁（24）が第２状態（図１に破線で示す状態）となり、室外膨張弁（23）、室内膨張弁（32）、及び輻射膨張弁（41）の開度が調節される。そして、冷媒回路（11）では、蒸気圧縮冷凍サイクルが行われ、室内熱交換器（31）及び輻射パネル（45）が凝縮器として機能し、室外熱交換器（22）が蒸発器として機能する。
【００３９】
室内ユニット（30）は、室内熱交換器（31）において加熱された空気を室内へ吹き出す。輻射パネルユニット（40）では、輻射パネル（45）の表面温度が高くなり、輻射によって輻射パネル（45）が在室者や家具などへ放熱する。
【００４０】
−輻射パネルユニットにおけるドレンパンの配置−
上述したように、空気調和装置（10）の冷房運転中には、輻射パネル（45）の表面温度が低くなる。そして、輻射パネル（45）の表面温度が室内空気の露点を下回ると、輻射パネル（45）の表面において結露が生じる。つまり、輻射パネル（45）では、その表面において空気中の水分（水蒸気）が凝縮する。
【００４１】
室内に設置された輻射パネルユニット（40）では、輻射パネル（45）の前面と背面が概ね鉛直面となる。そのため、輻射パネル（45）の表面において生成した凝縮水は、輻射パネル（45）の表面を伝って流れ落ちる。そこで、輻射パネルユニット（40）には、輻射パネル（45）から流れ落ちる凝縮水を受けるためのドレンパン（50,60）が設けられる。
【００４２】
図２及び図３に示すように、輻射パネル（45）は、正面から見て矩形状に形成される。具体的に、輻射パネル（45）は、正面から見た形状が、隣り合う辺の長さが互いに異なる長方形状となっている。この輻射パネル（45）は、短辺（46）が第１の辺であり、長辺（47）が第２の辺である。
【００４３】
本実施形態の輻射パネルユニット（40）は、二つのドレンパン（50,60）を備える。第１ドレンパン（50）は、輻射パネル（45）の一つの短辺（46）に沿って配置される。第２ドレンパン（60）は、輻射パネル（45）の一つの長辺（47）に沿って配置される。
【００４４】
第１ドレンパン（50）は、細長いトレイ状の部材である。第１ドレンパン（50）は、長さが輻射パネル（45）の短辺（46）の長さと実質的に等しく、幅が輻射パネル（45）の厚さと実質的に等しい。この第１ドレンパン（50）は、輻射パネル（45）の短辺（46）に沿った側部の全体を覆うように配置される。
【００４５】
第２ドレンパン（60）は、細長いトレイ状の部材である。第２ドレンパン（60）は、長さが輻射パネル（45）の長辺（47）の長さと実質的に等しく、幅が輻射パネル（45）の厚さと実質的に等しい。この第２ドレンパン（60）は、輻射パネル（45）の長辺（47）に沿った側部の全体を覆うように配置される。
【００４６】
各ドレンパン（50,60）は、底壁部（51,61）と側壁部（53,63）とを備える。底壁部（51,61）は、輻射パネル（45）の側部と向かい合う板状の部分であって、ドレンパン（50,60）の底面を形成する。側壁部（53,63）は、底壁部（51,61）の周縁から輻射パネル（45）へ向かって延びる板状の部分である。
【００４７】
各ドレンパン（50,60）の底壁部（51,61）は、その長手方向の中間の部分が中間底部（52,62）となる。中間底部（52,62）は、底壁部（51,61）のうち輻射パネル（45）の側部からの距離が最も離れた部分である。底壁部（51,61）は、その長手方向の両端から中間底部（52,62）へ向かって傾斜している。
【００４８】
各ドレンパン（50,60）の中間底部（52,62）には、排水口（54,64）が形成される。排水口（54,64）は、底壁部（51,61）を貫通する孔である。各ドレンパン（50,60）の排水口（54,64）には、ホース接続部（55,65）が差し込まれている。ホース接続部（55,65）は、短い円管状に形成され、ドレンパン（50,60）の底面に開口する。ホース接続部（55,65）は、ドレンパン（50,60）の凝縮水を外部へ導くドレンホースを接続するための部材である。
【００４９】
−輻射パネルユニットの設置状態−
上述したように、本実施形態の輻射パネルユニット（40）は、輻射パネル（45）の前面と背面が概ね鉛直面となる姿勢で室内に設置される。この輻射パネルユニット（40）は、輻射パネル（45）の短辺（46）が左右方向に延びて長辺（47）が上下方向に延びる第１状態（図２に示す状態）と、輻射パネル（45）の長辺（47）が左右方向に延びて短辺（46）が上下方向に延びる第２状態（図４に示す状態）とのどちらでも設置可能である。
【００５０】
図２に示すように、輻射パネルユニット（40）を第１状態で設置した場合は、輻射パネル（45）の短辺（46）に沿った第１ドレンパン（50）が下方に位置する。図示しないが、この場合は、第１ドレンパン（50）のホース接続部（55）にドレンホースが接続される。第２ドレンパン（60）のホース接続部（65）に、ドレンホースは接続されない。そして、輻射パネル（45）の表面で生じた凝縮水は、第１ドレンパン（50）へと流れ落ち、ホース接続部（55）に接続されたドレンホースを通って、輻射パネルユニット（40）の外部へ排出される。
【００５１】
図３に示すように、輻射パネルユニット（40）を第２状態で設置した場合は、輻射パネル（45）の長辺（47）に沿った第２ドレンパン（60）が下方に位置する。図示しないが、この場合は、第２ドレンパン（60）のホース接続部（65）にドレンホースが接続される。第１ドレンパン（50）のホース接続部（55）に、ドレンホースは接続されない。そして、輻射パネル（45）の表面で生じた凝縮水は、第２ドレンパン（60）へと流れ落ち、ホース接続部（65）に接続されたドレンホースを通って、輻射パネルユニット（40）の外部へ排出される。
【００５２】
−実施形態１の効果−
本実施形態の輻射パネルユニット（40）は、正面から見て矩形状に形成された空気調和用の輻射パネル（45）と、輻射パネル（45）の短辺（46）に沿って配置された第１ドレンパン（50）と、輻射パネル（45）の長辺（47）に沿って配置された第２ドレンパン（60）とを備える。
【００５３】
本実施形態の輻射パネルユニット（40）では、輻射パネルユニット（40）に二つのドレンパン（50,60）が設けられる。輻射パネル（45）の下端に短辺（46）が位置する場合は、短辺（46）に沿って配置された第１ドレンパン（50）が、輻射パネル（45）の表面で生じた凝縮水を受ける。一方、輻射パネル（45）の下端に長辺（47）が位置する場合は、長辺（47）に沿って配置された第２ドレンパン（60）が、輻射パネル（45）の表面で生じた凝縮水を受ける。
【００５４】
本実施形態の輻射パネルユニット（40）は、輻射パネル（45）の下端に短辺（46）が位置する状態と、輻射パネル（45）の下端に長辺（47）が位置する状態のどちらでも、設置することができる。従って、本実施形態によれば、輻射パネルユニット（40）を設置する際の輻射パネル（45）の姿勢の自由度が高くなり、輻射パネルユニット（40）の使い勝手を向上させることが可能となる。
【００５５】
また、本実施形態の輻射パネルユニット（40）において、第１ドレンパン（50）及び第２ドレンパン（60）は、輻射パネル（45）から落下した凝縮水を受ける底壁部（51,61）を備え、第１ドレンパン（50）及び第２ドレンパン（60）の底壁部（51,61）は、底壁部（51,61）に形成された排水口（54,64）へ向かって傾斜している。従って、本実施形態の輻射パネルユニット（40）では、ドレンパン（50,60）へ流入した凝縮水を排水口（54,64）へ導いて排水口（54,64）から排出することができる。
【００５６】
また、本実施形態の空気調和装置（10）は、輻射パネルユニット（40）と、輻射パネルユニット（40）へ冷媒を供給して輻射パネル（45）を蒸発器として機能させる動作を行う室外ユニット（20）とを備える。蒸発器として機能する輻射パネル（45）は、その表面が比較的低温となる。表面温度が比較的低い輻射パネル（45）は、室内の在室者等から輻射によって吸熱する。
【００５７】
《実施形態２》
実施形態２について説明する。本実施形態は、実施形態１の空気調和装置（10）において、輻射パネルユニット（40）の構成を変更したものである。ここでは、本実施形態の輻射パネルユニット（40）について、実施形態１の輻射パネルユニット（40）と異なる点を説明する。
【００５８】
図５に示すように、本実施形態の輻射パネルユニット（40）は、ドレンパン（70）を一つだけ備える。ドレンパン（70）は、細長いトレイ状の部材である。ドレンパン（70）は、長さが輻射パネル（45）の短辺（46）の長さと実質的に等しく、幅が輻射パネル（45）の厚さと実質的に等しい。詳しくは後述するが、ドレンパン（70）は、輻射パネル（45）の短辺（46）側の側部と向かい合う姿勢と、輻射パネル（45）の長辺（47）側の側部と向かい合う姿勢のどちらでも、輻射パネル（45）に対して取り付け可能となっている。
【００５９】
ドレンパン（70）は、底壁部（71）と側壁部（73）とを備える。底壁部（71）は、輻射パネル（45）の側部と向かい合う板状の部分であって、ドレンパン（70）の底面を形成する。側壁部（73）は、底壁部（71）の周縁から輻射パネル（45）へ向かって延びる板状の部分である。
【００６０】
ドレンパン（70）の底壁部（71）は、その長手方向の中間の部分が中間底部（72）となる。中間底部（72）は、底壁部（71）のうち輻射パネル（45）の側部からの距離が最も離れた部分である。底壁部（71）は、その長手方向の両端から中間底部（72）へ向かって傾斜している。
【００６１】
ドレンパン（70）の中間底部（72）には、排水口（74）が形成される。排水口（74）は、底壁部（71）を貫通する孔である。ドレンパン（70）の排水口（74）には、ホース接続部（75）が差し込まれている。ホース接続部（75）は、短い円管状に形成され、ドレンパン（70）の底面に開口する。ホース接続部（75）は、ドレンパン（70）の凝縮水を外部へ導くドレンホースを接続するための部材である。
【００６２】
また、本実施形態の輻射パネルユニット（40）は、ドレンガイド（80）を備える。ドレンガイド（80）は、輻射パネル（45）の長辺（47）に沿って設けられる。このドレンガイド（80）は、輻射パネル（45）の長辺（47）側の側部を囲うように配置された四つの側壁部（81〜84）を備える。輻射パネル（45）の長辺（47）に沿った一対の側壁部（81,82）は、輻射パネル（45）の長辺（47）側の側部と実質的に直交する。輻射パネル（45）の長辺（47）の両端に位置する一対の側壁部（83,84）は、輻射パネル（45）の長辺（47）の中央側へ倒れるように傾斜する。
【００６３】
ドレンガイド（80）は、四つの側壁部（81〜84）で囲まれた開口（85,86）のうち、長い方の開口（85）が輻射パネル（45）側を向く姿勢で、輻射パネル（45）に取り付けられる。また、ドレンガイド（80）は、ドレンパン（70）を取り付け可能に構成される。図３に示すように、ドレンガイド（80）には、四つの側壁部（81〜84）で囲まれた開口（85,86）のうち短い方の開口（86）を覆うように、ドレンパン（70）が取り付け可能である。ドレンガイド（80）は、輻射パネル（45）で生じた凝縮水をドレンパン（70）へ導く導水部材である。
【００６４】
−輻射パネルユニットの設置状態−
実施形態１の輻射パネルユニット（40）と同様に、本実施形態の輻射パネルユニット（40）は、輻射パネル（45）の短辺（46）が左右方向に延びて長辺（47）が上下方向に延びる第１状態（図６に示す状態）と、輻射パネル（45）の長辺（47）が左右方向に延びて短辺（46）が上下方向に延びる第２状態（図７に示す状態）とのどちらでも設置可能である。
【００６５】
図６に示すように、輻射パネルユニット（40）を第１状態で設置した場合は、輻射パネル（45）の下側の短辺（46）に沿ってドレンパン（70）が配置される。つまり、ドレンパン（70）は、輻射パネル（45）に直接に取り付けられ、輻射パネル（45）の短辺（46）側の側部を覆う。図示しないが、ドレンパン（70）のホース接続部（75）には、ドレンホースが接続される。輻射パネル（45）の表面で生じた凝縮水は、ドレンパン（70）へと流れ落ち、ホース接続部（75）に接続されたドレンホースを通って、輻射パネルユニット（40）の外部へ排出される。
【００６６】
図７に示すように、輻射パネルユニット（40）を第２状態で設置した場合は、輻射パネル（45）の下側の長辺（47）に沿ってドレンパン（70）が配置される。つまり、ドレンパン（70）は、輻射パネル（45）に固定されたドレンガイド（80）に取り付けられ、ドレンガイド（80）の短い方の開口（86）を覆う。図示しないが、ドレンパン（70）のホース接続部（75）には、ドレンホースが接続される。輻射パネル（45）の表面で生じた凝縮水は、ドレンガイド（80）の側壁部（83,84）に案内されて全量がドレンパン（70）へと流れ落ち、ホース接続部（75）に接続されたドレンホースを通って、輻射パネルユニット（40）の外部へ排出される。
【００６７】
−実施形態２の効果−
本実施形態の輻射パネルユニット（40）は、正面から見て矩形状に形成された空気調和用の輻射パネル（45）と、輻射パネル（45）の短辺（46）に沿う状態と、輻射パネル（45）の長辺（47）に沿う状態との両方で輻射パネル（45）に取り付け可能に構成されたドレンパン（70）とを備える。
【００６８】
本実施形態の輻射パネルユニット（40）には、一つのドレンパン（70）が設けられる。輻射パネル（45）の下端に短辺（46）が位置する場合、輻射パネル（45）の短辺（46）に沿ってドレンパン（70）を配置すれば、このドレンパン（70）が輻射パネル（45）の表面で生じた凝縮水を受ける。輻射パネル（45）の下端に長辺（47）が位置する場合、輻射パネル（45）の長辺（47）に沿ってドレンパン（70）を配置すれば、このドレンパン（70）が輻射パネル（45）の表面で生じた凝縮水を受ける。
【００６９】
本実施形態の輻射パネルユニット（40）は、輻射パネル（45）の下端に短辺（46）が位置する状態と、輻射パネル（45）の下端に長辺（47）が位置する状態のどちらでも、設置することができる。従って、本実施形態によれば、輻射パネルユニット（40）を設置する際の輻射パネル（45）の姿勢の自由度が高くなり、輻射パネルユニット（40）の使い勝手を向上させることが可能となる。
【００７０】
また、本実施形態の輻射パネルユニット（40）において、ドレンパン（70）は、輻射パネル（45）から落下した凝縮水を受ける底壁部（71）を備え、ドレンパン（70）の底壁部（71）は、底壁部（71）に形成された排水口（74）へ向かって傾斜している。従って、本実施形態によれば、ドレンパン（70）へ流入した凝縮水を排水口（74）へ導いて排水口（74）から排出することができる。
【００７１】
また、本実施形態の輻射パネルユニット（40）において、ドレンパン（70）は、輻射パネル（45）の短辺（46）に対応した長さに形成される一方、輻射パネル（45）の長辺（47）に沿って配置され、長辺（47）に沿う状態で輻射パネル（45）に取り付けられたドレンパン（70）へ凝縮水を導く導水部材（80）を更に備えている。
【００７２】
本実施形態の輻射パネルユニット（40）において、ドレンパン（70）は、輻射パネル（45）の短辺（46）に対応した長さに形成される。従って、ドレンパン（70）の長さは、輻射パネル（45）の長辺（47）の長さよりも短い。輻射パネル（45）の下端に短辺（46）が位置する場合、輻射パネル（45）の表面で生じた凝縮水は、輻射パネル（45）の短辺（46）に沿って配置されたドレンパン（70）によって受けられる。一方、輻射パネル（45）の下端に長辺（47）が位置する場合、輻射パネル（45）の表面で生じた凝縮水は、輻射パネル（45）の長辺（47）に沿って配置されたドレンパン（70）と導水部材（80）とによって受けられる。導水部材（80）に受けられた凝縮水は、導水部材（80）によってドレンパン（70）へ導かれる。
【００７３】
このように、本実施形態の輻射パネルユニット（40）によれば、短辺（46）が長辺（47）よりも短い輻射パネル（45）を、その下端に短辺（46）が位置する姿勢と、その下端に長辺（47）が位置する姿勢のどちらで設置した場合であっても、一つのドレンパン（70）に、輻射パネル（45）の表面で生じた凝縮水の全てを集めることが可能となる。
【００７４】
《その他の実施形態》
上記実施形態１又は２の輻射パネルユニット（40）において、ドレンパン（50,60,70）には、複数の排水口（54,64,74）が形成されていてもよい。その場合、各ドレンパン（50,60,70）では、底壁部（51,61,71）の中間底部（52,62,72）に複数の排水口（54,64,74）を形成するのが望ましい。
【００７５】
また、上記実施形態１又は２の輻射パネルユニット（40）において、輻射パネル（45）は、正面から見て正方形状に形成されていてもよい。この場合、輻射パネル（45）は、正面から見たときの四辺の長さが、実質的に同一となる。つまり、輻射パネル（45）は、隣り合う第１の辺（46）と第２の辺（47）の長さが等しくなる。例えば、輻射パネル（45）の表面に模様が形成されている場合は、輻射パネル（45）の形状が正方形状である場合であっても、輻射パネル（45）の姿勢を変えて設置可能とすることによって、輻射パネルユニット（40）をユーザーの好みに適した状態で設置することが可能となる。
【００７６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００７７】
以上説明したように、本開示は、輻射パネル（45）ユニットと、それを備えた空気調和装置について有用である。
【符号の説明】
【００７８】
10    空気調和装置
20    室外ユニット（熱源ユニット）
40    輻射パネルユニット
45    輻射パネル
46    短辺（第１の辺）
47    長辺（第２の辺）
50    第１ドレンパン
51    底壁部
54    排水口
60    第２ドレンパン
61    底壁部
64    排水口
70    ドレンパン
71    底壁部
74    排水口
80    ドレンガイド（導水部材）
【図１】
2019163918.tif 000003
【図２】
2019163918.tif 000004
【図３】
2019163918.tif 000005
【図４】
2019163918.tif 000006
【図５】
2019163918.tif 000007
【図６】
2019163918.tif 000008
【図７】
2019163918.tif 000009